【手続補正書】
【提出日】平成17年7月26日(2005.7.26)
【手続補正１】
【補正対象書類名】特許請求の範囲
【補正対象項目名】全文
【補正方法】変更
【補正の内容】
【特許請求の範囲】
【請求項１】
電磁波干渉の存在を知ったときに、目標無線装置と通信する複数の無線端末のうちのいずれが目標無線装置の物理的に近くにある１つまたは複数の非目標無線装置に前記電磁波干渉を引起こしているかをすばやく識別するための方法であって、
ａ）  前記無線端末から前記目標無線装置への伝送を監視するために監視構成要素を使用するステップと、
ｂ）  前記無線端末のすべてを少なくとも第１および第２の下位の複数に分けるために前記監視構成要素を使用するステップと、
ｃ）  前記下位の複数の少なくとも１つの前記無線端末に伝送動作を停止するように命令するために前記監視構成要素を使用するステップと、
ｄ）  前記電磁波干渉を引起こしている前記無線端末の干渉するグループを識別するために前記監視構成要素を使用するステップと、
ｅ）  前記電磁波干渉を引起こしている無線端末の前記干渉するグループから、前記干渉するグループに２つ以上の前記無線端末が存在する場合、前記干渉するグループを少なくともさらに別のグループの対にさらに分けるステップと、
ｇ）  特定の干渉する無線端末が識別されるまで、ステップｄ）からｅ）を繰返すステップとを含む、方法。
【請求項２】
前記特定の干渉する無線端末に伝送動作を停止するように命令するために前記監視構成要素を使用するステップをさらに含む、請求項１に記載の方法。
【請求項３】
監視構成要素を使用する前記ステップは、地上ベースのネットワークオペレーションセンター（ＮＯＣ）を使用するステップを含む、請求項１に記載の方法。
【請求項４】
ステップｂ）は、前記無線端末のすべてを２つのみの下位の複数に分けるステップを含む、請求項１に記載の方法。
【請求項５】
目標無線装置にアクセスし、そして所与の受信可能領域内で動作する複数の移動無線端末のうちのいずれが非目標無線装置に電磁波干渉を引起こしているかをすばやく決定するための方法であって、
まず前記無線端末のすべてを第１および第２の下位の複数に分けるステップと、
前記第１の下位の複数の前記無線端末の各々に伝送動作を停止するように命じるステップと、
前記電磁波干渉が排除されたか否かを決定するステップと、
前記電磁波干渉が排除された場合、無線端末の前記第１の下位の複数を第３および第４の下位の複数にさらに分けるステップと、
無線端末の前記第３の下位の複数の前記無線端末のすべてに伝送を停止するように再度命令するステップと、
前記電磁波干渉状態が低減されたか否かを決定するためにチェックを行なうステップと、
前記電磁波干渉状態を引起こしている前記無線端末の特定の１つが識別されるまで、前記無線端末の各下位の複数を交互に２つに分け続け、そして電磁波干渉状態の存在のためにチェックするステップとを含む、方法。
【請求項６】
中継される目標衛星にアクセスする複数の移動無線端末のうちのいずれが前記目標衛星の近傍の非目標衛星に電磁波干渉を引起こしているかをすばやく決定するための方法であって、
前記移動無線端末を第１および第２の下位の複数に分けるために中央オペレーション局を使用するステップと、
前記第２の下位の複数内の前記移動無線端末のすべてに伝送を停止するように命令するために前記中央オペレーション局を使用するステップと、
前記オペレータによって与えられる情報に関連して、電磁波干渉状態が依然として存在するか否かを決定するステップと、
前記電磁波干渉状態が依然として存在する場合に、前記第１の下位の複数を移動無線端末の第３および第４の下位の複数にさらに分けるために前記中央オペレーション局を使用するステップと、
移動無線端末の前記第４の下位の複数に伝送を停止するように命令するために前記中央オペレーション局を使用するステップと、
前記電磁波干渉状態が依然として存在するか否かを決定するステップと、
そうである場合に、前記中央オペレーション局が前記電磁波干渉状態を引起こしている前記移動端末のうちの１つを識別するまで、前記干渉状態を引起こしている前記移動無線端末の下位の複数を繰返しさらに分けるために前記中央オペレーション局を使用するステップとを含む、方法。
【請求項７】
目標電子装置にアクセスする複数の無線端末のうちのいずれが前記目標電子装置の近傍の非目標電子装置に電磁波干渉を引起こしているかをすばやく決定するための方法であって、
前記無線端末を第１および第２の下位の複数に分けるためにオペレーション局を使用するステップと、
前記第１および第２の下位の複数の１つまたは他方の前記無線端末のすべてに伝送を停止するように命令するために前記オペレーション局を使用するステップと、
電磁波干渉状態が依然として存在するか否かを決定するステップと、
前記電磁波干渉状態が依然として存在する場合に、前記第１および第２の下位の複数の他方の無線端末に伝送を停止するように命令するステップと、
前記電磁波干渉状態を引起こしている前記無線端末のうちの１つが識別されるまで、前記下位の複数の他方をさらに分け、前記下位の複数の他方の各下位のグループの前記無線端末のすべてに伝送を停止するように交互に命令するステップとを含む、方法。
【請求項８】
目標電子装置にアクセスする無線端末のグループから、前記グループのいずれの無線端末が非目標電子装置に干渉状態を引起こしているかをすばやく識別するためのシステムで
あって、
前記無線端末から前記目標電子装置への伝送を監視するための中央監視局を含み、
前記中央監視局は前記無線端末の各々にコマンドを伝送して前記目標電子装置への伝送を停止するように各々に命令するためのサブシステムを含み、
前記中央監視局は、
まず前記無線端末を第１および第２のグループに分け、
前記グループの１つの前記無線端末のすべてに前記目標電子装置への伝送を停止するように命令し、
前記第１および第２のグループのいずれが依然として前記干渉状態を引起こしているかを識別し、
前記干渉状態が依然として存在する場合に、前記無線端末のうちの１つの干渉している端末が前記干渉状態を引起こしているものとして識別されるまで、依然として前記干渉状態を引起こしている前記第１および第２のグループの前記１つをさらに分け、前記干渉状態が低減されたか否かを決定するために交互にチェックを行ない、引き続き前記無線端末をより小さい下位のグループに分けるように動作する、システム。
【請求項９】
前記中央監視局は地上ベースの監視局を含む、請求項８に記載のシステム。
【請求項１０】
前記無線端末は移動無線端末を含む、請求項８に記載のシステム。
【請求項１１】
前記中央監視局は、前記干渉状態のチェックが前記干渉状態が依然として存在すると示す度に前記無線端末を少なくともほぼ半分にさらに分けるように動作する、請求項８に記載のシステム。
【請求項１２】
空中中継器にアクセスする無線端末のグループから、前記グループのいずれの無線端末が非目標電子装置に干渉状態を引起こしているかをすばやく識別するためのシステムであって、
前記無線端末から前記空中中継器への伝送を監視するための中央監視局を含み、
前記中央監視局は前記無線端末の各々にコマンドを伝送して前記空中中継器への伝送を停止するように各々に命令するためのサブシステムを含み、
前記中央監視局は、
まず前記無線端末を第１および第２のグループに分け、
前記グループの１つの前記無線端末のすべてに前記目標電子装置への伝送を停止するように命令し、
前記第１および第２のグループのいずれが依然として前記干渉状態を引起こしているかを識別し、
前記無線端末のうちの１つの干渉している端末が前記干渉状態を引起こしているものとして識別されるまで、依然として前記干渉状態を引起こしている前記第１および第２のグループの前記１つを交互にさらに分け、前記干渉状態が低減されたか否かを決定するためにチェックを行ない、前記無線端末をより小さい下位の複数に分けるように動作する、システム。
【請求項１３】
前記中央監視局は地上ベースの監視局を含む、請求項１２に記載のシステム。
【請求項１４】
前記中央監視局は、前記無線端末をほぼ均一な数の前記無線端末のより小さい下位の複数に引き続き分ける、請求項１２に記載のシステム。